(57)【特許請求の範囲】
【請求項１】
記録媒体を支持するための支持部材と、当該支持部材に設けられた複数の吸引孔と、を有し、記録媒体で覆われていない当該吸引孔に係る第２の吸引力を記録媒体で覆われた当該吸引孔に係る第１の吸引力よりも小さく制限する制御の下で、記録媒体を支持する第１吸引部と、
前記第１吸引部で支持された記録媒体に対して記録を行う記録ヘッドと、
記録媒体を支持するための支持部材と、当該支持部材に設けられた複数の吸引孔と、を有し、記録媒体の搬送方向について前記第１吸引部と隣り合うように配された第２吸引部であって、記録媒体で覆われていない当該吸引孔に係る第３の吸引力が前記第２の吸引力よりも大きく設定された第２吸引部と、を備える記録装置。
【請求項２】
前記第２吸引部は、前記搬送方向について前記第１吸引部の上流側、及び下流側の少なくとも一方に配される請求項１に記載の記録装置。
【請求項３】
前記第１吸引部および前記第２吸引部のそれぞれは、空気を吸引する吸引力を発生する吸引力発生部と各吸引孔とを連通する複数の連通流路と、前記吸引孔に対応して設けられ、前記第１の吸引力を前記第２の吸引力よりも小さく制限する吸引力調整部とを有し、
前記連通流路は、
前記吸引力調整部より前記吸引孔側の孔側流路部と、
前記吸引力調整部より前記吸引力発生部側の吸引側流路部と、
を有し、
前記吸引力調整部は、
前記孔側流路部と前記吸引側流路部との間に配され、前記孔側流路部と前記吸引側流路部との差圧によって、前記孔側流路部の側又は前記吸引側流路部の側へ変位するダイヤフラムと、
前記ダイヤフラムに形成され、前記ダイヤフラムの変位によって開閉され、開放された状態で前記孔側流路部と前記吸引側流路部とを連通する開閉連通孔と、
前記ダイヤフラムに形成され、前記ダイヤフラムの位置に関らず開放され、前記孔側流路部と前記吸引側流路部とを連通する開放連通孔と、
を有し、
前記第１吸引部の前記開放連通孔の孔径は、前記第２吸引部の前記開放連通孔の孔径より小さいことを特徴とする請求項１に記載の記録装置。
【請求項４】
前記第１吸引部および前記第２吸引部のそれぞれは、空気を吸引する吸引力を発生する吸引力発生部と各吸引孔とを連通する複数の連通流路と、前記吸引孔に対応して設けられ、前記第１の吸引力を前記第２の吸引力よりも小さく制限する吸引力調整部とを有し、
前記第１吸引部の前記吸引力調整部の数は、前記第２吸引部の前記吸引力調整部の数より多いことを特徴とする請求項１に記載の記録装置。
【請求項５】
空気を吸引する吸引力を発生する吸引力発生部をさらに備え、
前記第１吸引部および前記第２吸引部のそれぞれは、前記吸引力発生部と各吸引孔とを連通する複数の連通流路と、前記吸引孔に対応して設けられ、前記第１の吸引力を前記第２の吸引力よりも小さく制限する吸引力調整部とを有し、
前記第１吸引部は、前記吸引孔に連通する前記連通流路が配された第１チャンバを有し、
前記第２吸引部は、前記吸引孔に連通する前記連通流路が配された第２チャンバを有し、
前記吸引力発生部は、前記第１チャンバと前記第２チャンバとにそれぞれ対応して設けられていることを特徴とする請求項１に記載の記録装置。
【発明の詳細な説明】
【技術分野】
【０００１】
本発明は、記録装置に関する。本発明は、特に、搬送部材に吸着されて搬送された記録
媒体に対してインクを吐出して記録する記録装置に関する。
【背景技術】
【０００２】
インクジェット式の記録ヘッドを用いた記録装置が知られている（例えば、特許文献１
参照）。この記録装置は、記録媒体を、搬送ベルトに形成された貫通孔の吸引力により搬
送ベルトに吸着させて、記録領域へ搬送する。これにより、記録媒体の搬送ベルトからの
浮きを抑制する。
【特許文献１】特開平１０−３１５５５１号公報
【発明の開示】
【発明が解決しようとする課題】
【０００３】
しかしながら、上記記録装置では、記録ヘッドの記録領域において、記録媒体に塞がれ
ていない貫通孔の吸引力が気流を発生させる。この気流が、インク滴の飛翔状態に影響を
及ぼす。一方で、インク滴の飛翔状態を安定させることを目的として、貫通孔の吸引力を
低下させた場合には、記録媒体の搬送ベルトからの浮きを十分に抑制できない。特に、記
録領域より搬送方向上流側においては、記録媒体の搬送ベルトへの吸着が開始された段階
なので、記録媒体の搬送ベルトからの浮きが発生し易い。
【課題を解決するための手段】
【０００４】
上記課題を解決するために、本発明の第１の態様においては、記録媒体を支持するための支持部材と、当該支持部材に設けられた複数の吸引孔と、を有し、記録媒体で覆われていない当該吸引孔に係る第２の吸引力を記録媒体で覆われた当該吸引孔に係る第１の吸引力よりも小さく制限する制御の下で、記録媒体を支持する第１吸引部と、前記第１吸引部で支持された記録媒体に対して記録を行う記録ヘッドと、記録媒体を支持するための支持部材と、当該支持部材に設けられた複数の吸引孔と、を有し、記録媒体の搬送方向について第１吸引部と隣り合うように配された第２吸引部であって、記録媒体で覆われていない当該吸引孔に係る第３の吸引力が前記第２の吸引力よりも大きく設定された第２吸引部と、を備える記録装置が提供される。これにより、気流がインク滴の飛翔状態に及ぼす影響を抑えると共に、記録媒体が支持部材から浮くことを十分に抑制することができる。
【０００５】
上記記録装置において、第２吸引部は、搬送方向について第１吸引部の上流側に配され
、記録媒体を第１吸引部へ供給してもよい。上記記録装置において、第２吸引部は、搬送
方向について第１吸引部の下流側に配され、記録ヘッドにより記録された記録媒体を搬送
してもよい。
【０００６】
上記記録装置において、第１吸引部および第２吸引部のそれぞれは、空気を吸引する吸
引力を発生する吸引力発生部と各吸引孔とを連通する複数の連通流路と、吸引孔に対応し
て設けられ、第１の吸引力を第２の吸引力よりも小さく制限する吸引力調整部とを有し、
連通流路は、吸引力調整部より吸引孔側の孔側流路部と、吸引力調整部より吸引力発生部
側の吸引側流路部と、を有し、吸引力調整部は、孔側流路部と吸引側流路部との間に配さ
れ、孔側流路部と吸引側流路部との差圧によって、孔側流路部の側又は吸引側流路部の側
へ変位するダイヤフラムと、ダイヤフラムに形成され、ダイヤフラムの変位によって開閉
され、開放された状態で孔側流路部と吸引側流路部とを連通する開閉連通孔と、ダイヤフ
ラムに形成され、ダイヤフラムの位置に関らず開放され、孔側流路部と吸引側流路部とを
連通する開放連通孔と、を有し、記録領域に配された開放連通孔の孔径は、記録領域より
搬送方向上流側に配された開放連通孔の孔径より小さいことを特徴としてもよい。これに
より、記録領域における開放された吸引孔に連通された連通流路の一部の流路断面積を、
記録領域より搬送方向上流側または下流側におけるものよりも狭くできる。その結果、搬
送方向上流側または下流側における記録媒体を支持部材側へ十分に吸着させて、記録媒体
の支持部材からの浮きを十分に抑制すると共に、記録領域に生じる気流を弱めてインク滴
の飛翔状態に及ぼす影響を抑えることができる。
【０００７】
上記記録装置において、第１吸引部および第２吸引部のそれぞれは、空気を吸引する吸
引力を発生する吸引力発生部と各吸引孔とを連通する複数の連通流路と、吸引孔に対応し
て設けられ、第１の吸引力を第２の吸引力よりも小さく制限する吸引力調整部とを有し、
第１吸引部の吸引力調整部の数は、第２吸引部の吸引力調整部の数より多くてもよい。こ
れにより、開放された吸引孔の中で吸引量調整部により吸引力を減少される吸引孔の数が
、記録領域の方が記録領域より搬送方向上流側または下流側よりも多くなるので、記録領
域に生じる気流を、記録領域より搬送方向上流側または下流側に生じる気流よりも弱くす
ることができる。
【０００８】
上記記録装置において、空気を吸引する吸引力を発生する吸引力発生部をさらに備え、
第１吸引部および第２吸引部のそれぞれは、吸引力発生部と各吸引孔とを連通する複数
の連通流路と、吸引孔に対応して設けられ、第１の吸引力を第２の吸引力よりも小さく制
限する吸引力調整部とを有し、第１吸引部が、吸引孔に連通する連通流路が配された第１
チャンバを有し、第２吸引部が、吸引孔に連通する連通流路が配された第２チャンバを有
しており、吸引力発生部が、第１チャンバと第２チャンバとにそれぞれ対応して設けられ
ていることを特徴としてもよい。これにより、一の吸引力発生部により第１チャンバと第
２チャンバとに吸引力を発生させる場合と比較して、記録媒体に塞がれた吸引孔に発生す
る吸引力を強くすることができ、記録媒体を搬送部材に安定して吸着させることができる
。
【０００９】
本発明の第２の形態においては、記録媒体にインクを吐出して記録を行う記録ヘッドと
、複数の貫通孔が形成され、記録媒体を記録ヘッドの記録領域へ搬送する搬送部材と、空
気を吸引する吸引力を発生する吸引力発生部と、吸引力発生部と各貫通孔とを連通する複
数の連通流路とを有し、貫通孔に吸引力を発生させて記録媒体を搬送部材に吸着させる吸
引部と、少なくとも記録領域に位置する貫通孔に対応して設けられ、開放された当該貫通
孔に係る吸引力を記録媒体で塞がれた当該貫通孔に係る吸引力よりも小さく制限する吸引
力調整部と、を備え、吸引力調整部は、記録領域に位置し開放された貫通孔に発生する吸
引力を、記録領域より搬送方向上流側または下流側に位置し開放された貫通孔に発生する
吸引力より弱くする記録装置が提供される。これにより、記録領域に生じる気流を弱めて
、この気流がインク滴の飛翔状態に及ぼす影響を抑えると共に、記録領域より搬送方向上
流側または下流側における記録媒体と搬送部材との吸着力を十分に確保して、吸着が開始
された段階または記録後の記録媒体が搬送部材から浮くことを十分に抑制することができ
る。
【００１０】
上記記録装置において、吸引力調整部は、貫通孔が記録媒体で塞がれた場合に、当該貫
通孔に連通された連通流路の流路断面積を増加させ、貫通孔が開放された場合に、当該貫
通孔に連通された連通流路の流路断面積を減少させることを特徴としてもよい。これによ
り、吸引力発生部の駆動力を制御することなく、貫通孔が記録媒体に塞がれ場合に当該貫
通孔の吸引力を増加させ、貫通孔が開放された場合に当該貫通孔の吸引力を低下させるこ
とができる。
【００１１】
上記記録装置において、吸引力調整部は、記録領域に位置し開放された貫通孔に連通さ
れた連通流路の流路断面積を、記録領域より搬送方向上流側に位置し開放された貫通孔に
連通された連通流路の流路断面積より狭くすることを特徴としてもよい。これにより、記
録領域における開放された貫通孔に発生する吸引力を、記録領域より搬送方向上流側にお
けるものよりも弱くできる。
【００１２】
上記記録装置において、複数の吸引力調整部の一部は、記録領域より搬送方向上流側に
配されていることを特徴としてもよい。これにより、記録領域より搬送方向上流側におい
て、記録媒体に塞がれた貫通孔の吸引力を低下させることなく、開放された貫通孔からの
吸引量を減少させることができる。従って、記録領域より搬送方向上流側において、記録
媒体の搬送部材からの浮きを十分に抑制できると共に、開放された貫通孔に生じる気流を
弱めて、この気流がインク滴の飛翔状態に及ぼす影響を抑制できる。
【００１３】
なお、上記の発明の概要は、本発明の必要な特徴の全てを列挙したものではない。また
、これらの特徴群のサブコンビネーションもまた、発明となりうる。
【発明を実施するための最良の形態】
【００１４】
以下、発明の実施の形態を通じて本発明を説明するが、以下の実施形態は特許請求の範
囲にかかる発明を限定するものではない。また、実施形態の中で説明されている特徴の組
み合わせの全てが発明の解決手段に必須であるとは限らない。
【００１５】
図１は、本実施形態に係るインクジェット式の記録装置１００の概略構成を示す側面図
である。この図に示すように、記録装置１００は、記録媒体としての用紙Ｐを搬送する搬
送部１２０と、用紙Ｐにインクを吐出して記録する複数の記録ヘッド１１０とを備える。
【００１６】
搬送部１２０は、駆動ローラ１２４、従動ローラ１２５、１２６と、これらに張架され
た搬送部材としての無端状の搬送ベルト１４０とを備える。駆動ローラ１２４、従動ロー
ラ１２５は、略水平に配される。従動ローラ１２６は、これらの中間且つ下方に配されて
いる。即ち、搬送ベルト１４０は、駆動ローラ１２４、従動ローラ１２５、１２６により
略三角形状に張架される。また、搬送ベルト１４０の一部（以下、上面１４１という）は
、駆動ローラ１２４、従動ローラ１２５により略水平に張架される。なお、搬送部材とし
ては、搬送ドラムも適用できる。
【００１７】
複数の記録ヘッド１１０は、搬送ベルト１４０の上面１４１に対向して配される。搬送
部１２０の搬送方向上流側には、フィードローラ１２１と、ゲートローラ１２２と、紙押
えローラ１２３とが、搬送方向上流側からこの順に配される。これらにより、用紙Ｐが搬
送部１２０へ搬送される。
【００１８】
搬送部１２０は、吸引部としての用紙吸着装置１３０を備える。用紙吸着装置１３０は
、吸引力発生部としてのファン１４８、１５０、１４９と、上流側チャンバ１５８、記録
領域チャンバ１６０、下流側チャンバ１５９とを備える。ファン１４８、１５０、１４９
は、搬送ベルト１４０の内周側に、搬送方向に沿って記載順に配される。また、上流側チ
ャンバ１５８は、上面１４１とファン１４８との間に配される。同様に、記録領域チャン
バ１６０は、上面１４１とファン１５０との間に配され、下流側チャンバ１５９は、上面
１４１とファン１４９との間に配される。
【００１９】
上流側チャンバ１５８及びファン１４８は、記録ヘッド１１０の記録領域２０２より上
流側の上流側領域２０１に配される。記録領域チャンバ１６０及びファン１５０は、記録
ヘッド１１０の記録領域２０２に対向して配される。また、下流側チャンバ１５９及びフ
ァン１４９は、記録ヘッド１１０の記録領域２０２より下流側の下流側領域２０３に配さ
れる。
【００２０】
図２は、記録装置１００の内部構造を示す斜視図である。この図に示すように、複数の
記録ヘッド１１０の各々は、用紙Ｐの幅よりも短尺であり、搬送方向と直交する方向（以
下、用紙幅方向という）と搬送方向とに沿って縦横に配される。複数の記録ヘッド１１０
は、搬送方向へ千鳥状に配列される。
【００２１】
搬送ベルト１４０の全域には、複数の貫通孔１４２が、用紙幅方向と搬送方向とに沿っ
て縦横に配される。複数の貫通孔１４２は、搬送方向へ千鳥状に配列される。
【００２２】
図３は、用紙吸着装置１３０におけるファン１５０及び記録領域チャンバ１６０を示す
分解斜視図である。ファン１４８とファン１４９、上流側チャンバ１５８と下流側チャン
バ１５９は、ファン１５０、記録領域チャンバ１６０とそれぞれ同様の構成なので、説明
は省略する。
【００２３】
この図に示すように、ファン１５０は、ハウジング１５２と、ハウジング１５２内に配
されたブレードとを備える。ハウジング１５２における記録領域チャンバ１６０側の面に
は、円状の吸気口１５４が形成される。ハウジング１５２の側面には、排気口１５６が形
成される。ファン１５０に代えて、ブロア、ポンプ等も吸引力発生部としてもよい。
【００２４】
記録領域チャンバ１６０は、ベルト受け板１６１とバルブ板１６２とスペーサ板１６３
と本体１６４と密閉板１６５とを備える。ベルト受け板１６１、バルブ板１６２、スペー
サ板１６３、本体１６４、及び密閉板１６５は、上面１４１側からファン１５０側へ記載
順に積層される。
【００２５】
ベルト受け板１６１には、搬送方向を長手方向とする長円形状の複数の溝２６１が、搬
送方向及び用紙幅方向に沿って縦横に配される。複数の溝２６１は、用紙幅方向へ千鳥状
に配列される。
【００２６】
溝２６１の底部には、孔側流路部２６２が形成される。孔側流路部２６２は、円状の貫
通孔となっている。本実施形態では、溝２６１毎に一個の孔側流路部２６２を形成してい
るが、溝２６１毎に複数の孔側流路部２６２を形成してもよい。
【００２７】
バルブ板１６２には、複数の円状のバルブ２６３が形成される。各バルブ２６３は、各
孔側流路部２６２と重なり合うように配される。スペーサ板１６３には、複数のバルブ室
２６４が形成される。このバルブ室２６４は、円状の貫通孔となっている。各孔側流路部
２６２と各バルブ２６３とは重なり合うように配される。孔側流路部２６２の直径とバル
ブ２６３の直径とは同程度の大きさとなっている。
【００２８】
本体１６４には、複数の吸引側流路部２６５が形成される。吸引側流路部２６５は、円
状の貫通孔となっている。各吸引側流路部２６５は、各バルブ２６３と重なり合うように
配される。吸引側流路部２６５の直径は、バルブ２６３の直径より小さくなっている。本
体１６４の下部には、複数の吸引側流路部２６５を連通する流路２６６が形成される。
【００２９】
密閉板１６５には、円状の貫通孔２６７が、ファン１５０の吸気口１５４と重なり合う
ように形成される。この貫通孔２６７の直径と吸気口１５４の直径とは同程度の大きさと
なっている。これら吸気口１５４と流路２６６とは、貫通孔２６７を介して連通する。
【００３０】
図４は、搬送ベルト１４０及びベルト受け板１６１を示す拡大斜視図である。この図に
示すように、溝２６１は、搬送方向へ配された貫通孔１４２の列と重なり合うように配さ
れる。溝２６１の搬送方向長さは、搬送方向に並んだ貫通孔１４２の間隔と同程度となっ
ている。これにより、搬送ベルト１４０が移動しているとき、何れかの貫通孔１４２が、
溝２６１と重なり合うようになっている。
【００３１】
図５は、バルブ２６３を示す斜視図である。この図に示すように、バルブ２６３は、ダ
イヤフラム２７１と、支持部２７２と、一対の腕２７３と、一対の腕２７４と、開閉連通
孔としての一対のスリット２７５と、開放連通孔２７６とを備える。ダイヤフラム２７１
は、円状に形成される。その周囲には、一対の半円状のスリット２７５が、ダイヤフラム
２７１の中心に対して対称に形成される。ダイヤフラム２７１の中心には、開放連通孔２
７６が形成される。
【００３２】
一対のスリット２７５の周囲には、円環状の支持部２７２が配される。ダイヤフラム２
７１は、支持部２７２に、一対のスリット２７５の両端部の間に存する一対の腕２７３に
より両持ち支持される。支持部２７２の周囲には、一対の半円状のスリット２７７が、開
放連通孔２７６に対して対称に形成される。支持部２７２は、バルブ板１６２に、一対の
スリット２７７の両端部の間に存する一対の腕２７４により両持ち支持される。
【００３３】
ここで、スリット２７５の両端部とスリット２７７の両端部とは、開放連通孔２７６周
りに９０°位相をずらして配される。さらに、腕２７３と腕２７４とは、開放連通孔２７
６周りに９０°位相をずらして配されている。即ち、バルブ２６３は、いわゆるジンバル
構造を有する。バルブ板１６２は、弾性変形可能な金属材料あるいは樹脂材料により形成
される。バルブ２６３は、金属のエッチングあるいは打ち抜き、樹脂の成型あるいは打ち
抜きによって形成される。
【００３４】
図６は、用紙吸着装置１３０を示す部分断面図である。この図に示すように、孔側流路
部２６２、開放連通孔２７６、バルブ室２６４、吸引側流路部２６５は、それぞれの軸心
が、図中一点鎖線で示す同一直線上に並ぶように配される。これらにより、貫通孔１４２
とファン１５０とを連通する連通流路１８０が形成される。
【００３５】
ダイヤフラム２７１の直径は、孔側流路部２６２の直径、及び吸引側流路部２６５の直
径より大きい。これにより、スリット２７５は、孔側流路部２６２、吸引側流路部２６５
より外径側に位置する。このため、図示するように、ダイヤフラム２７１が、バルブ板１
６２と面一となっている場合には、スリット２７５が、ベルト受け板１６１により閉塞さ
れる。
【００３６】
図７は、バルブ２６３の動作と、連通流路１８０における空気の流れとを示す概略側断
面図である。この図に２点鎖線で示すように、ファン１５０の駆動により吸引側流路部２
６５が孔側流路部２６２よりも負圧になった場合に、ダイヤフラム２７１は、腕２７３を
吸引側へ弾性変形させて吸引側へ変位する。
【００３７】
貫通孔１４２が用紙Ｐで塞がれていない場合には、孔側流路部２６２内の圧力は大気圧
に近似する一方、吸引側流路部２６５は負圧になるので、これらの差圧が増大する。この
ような圧力状態において、ダイヤフラム２７１は、バルブ室２６４の最下位置まで下降し
て本体１６４の上面に当接する。これにより、スリット２７５が本体１６４の上面で閉塞
される。よって、連通流路１８０における空気流は、全て開放連通孔２７６を通過する。
【００３８】
一方、貫通孔１４２が用紙Ｐで塞がれた場合には、孔側流路部２６２内の圧力が負圧に
なるので、孔側流路部２６２と吸引側流路部２６５との差圧が減少する。このような圧力
状態において、ダイヤフラム２７１は、腕２７３、２７４の弾性による復元力と連通流路
１８０における空気流がダイヤフラム２７１を押す力とがつり合う位置で停止する。
【００３９】
ここで、ダイヤフラム２７１が停止するつり合い位置は、バルブ室２６４の最上位と最
下位との中間位置となっており、スリット２７５は開放される。これにより、連通流路１
８０における空気流は、開放連通孔２７６とスリット２７５とを通過する。
【００４０】
即ち、貫通孔１４２が開放された場合には、バルブ室２６４における流路断面積が減少
される一方、貫通孔１４２が閉塞された場合には、バルブ室２６４における流路断面積が
増加される。これにより、貫通孔１４２が開放された場合には、当該貫通孔１４２に生じ
る吸引力が減少される一方、貫通孔１４２が閉塞された場合には、当該貫通孔１４２に生
じる吸引力が増加される。
【００４１】
なお、ダイヤフラム２７１に開放連通孔２７６が形成されていない場合には、貫通孔１
４２が用紙Ｐで塞がれていない状態で、ダイヤフラム２７１が連通流路１８０を完全に閉
塞する。このため、その後に、貫通孔１４２が開放されても、孔側流路部２６２は大気圧
から低下しないことから、貫通孔１４２からの吸引が全くなされず、用紙Ｐが搬送ベルト
１４０に吸着されない。
【００４２】
図８は、上流側チャンバ１５８、記録領域チャンバ１６０、及び下流側チャンバ１５９
に配されたバルブ板１６２を示す斜視図である。この図に示すように、記録領域２０２に
配されたバルブ板１６２には、開放連通孔２７６が形成される。上流側領域２０１、下流
側領域２０３に配されたバルブ板１６２にはそれぞれ、開放連通孔３７６、４７６が形成
される。
【００４３】
図９（Ａ）〜（Ｃ）は、上流側チャンバ１５８、記録領域チャンバ１６０、及び下流側
チャンバ１５９を示す部分側断面図である。図９（Ａ）、（Ｃ）に示すように、上流側チ
ャンバ１５８、下流側チャンバ１５９に配されたバルブ板１６２に形成された開放連通孔
３７６、４７６の孔径はＤ１である。これに対し、図９（Ｂ）に示すように、記録領域チ
ャンバ１６０に配されたバルブ板１６２に形成された開放連通孔２７６の孔径は、Ｄ１よ
り小さいＤ２となっている。
【００４４】
次に、本実施形態における作用について説明する。記録装置１００では、プリントジョ
ブが開始されると、用紙Ｐが、フィードローラ１２１、ゲートローラ１２２により従動ロ
ーラ１２５と紙押えローラ１２３とのニップ部へ搬送される。用紙Ｐは、当該ニップ部を
通過する間に、搬送ベルト１４０に押し付けられる。
【００４５】
搬送ベルト１４０に押し付けられた用紙Ｐは、上流側領域２０１において、ファン１４
８が貫通孔１４２に発生させた吸引力により搬送ベルト１４０の上面１４１に吸着され、
搬送ベルト１４０の回転により、記録領域２０２へ搬送される。用紙Ｐは、記録領域２０
２において、ファン１５０が貫通孔１４２に発生させた吸引力により搬送ベルト１４０の
上面１４１に吸着され、搬送ベルト１４０により搬送される。この間、用紙Ｐには、記録
ヘッド１１０からインクが吐出されて記録が実施される。記録された用紙Ｐは、下流側領
域２０３において、ファン１４９が貫通孔１４２に発生させた吸引力により搬送ベルト１
４０の上面１４１に吸着され、搬送ベルト１４０の下流側へ搬送されて、記録装置１００
から排出される。
【００４６】
ここで、用紙Ｐが上流側領域２０１、記録領域２０２、下流側領域２０３の各領域に搬
送されるまでの間は、各領域の貫通孔１４２が開放されている。よって、ダイヤフラム２
７１が、バルブ室２６４の最下位置においてスリット２７５を閉塞させる。これにより、
バルブ室２６４における空気流路が、開放連通孔２７６を通過する一の流路だけとなり、
バルブ室２６４における流路断面積が可変範囲内で最小となる。
【００４７】
そして、用紙Ｐが各領域に搬送されると、各領域の用紙Ｐの搬送領域外に位置する貫通
孔１４２は開放されたままなので、当該貫通孔１４２に連通されたバルブ室２６４では流
路断面積が変化しない。これに対して、各領域の用紙Ｐの搬送領域内に位置する貫通孔１
４２は、用紙Ｐで塞がれるので、当該貫通孔１４２に連通された孔側流路部２６２の内圧
が低下して、孔側流路部２６２と吸引側流路部２６５との差圧が減少する。これにより、
ダイヤフラム２７１が孔側流路部２６２の側へ変位して、スリット２７５が開放される。
よって、バルブ室２６４における空気流路が、開放連通孔２７６とスリット２７５とを通
過する二の流路となり、バルブ室２６４における流路断面積が増加する。
【００４８】
ところで、開放連通孔２７６、３７６、４７６の孔径が大きくなるほど、貫通孔１４２
が用紙Ｐで塞がれる時、及び開放される時の、開放連通孔２７６、３７６、４７６からの
空気吸引量が多くなる。よって、孔側流路部２６２の内圧変化の迅速性が高まり、これに
より、ダイヤフラム２７１の応答性が高まる。一方で、開放連通孔２７６、３７６、４７
６からの空気吸引量が多くなることから、開放された開放連通孔２７６、３７６、４７６
の外側に生じる気流が強くなり、インクの飛翔状態に影響が及ぶ。
【００４９】
ここで、記録領域２０２に配された開放連通孔２７６の孔径がＤ２なのに対して、上流
側領域２０１及び下流側領域２０３に配された開放連通孔３７６、４７６の孔径がＤ２よ
り大きいＤ１となっている。このため、貫通孔１４２が用紙Ｐに塞がれる時のダイヤフラ
ム２７１の応答性が、上流側領域２０１及び下流側領域２０３の方が記録領域２０２より
迅速になる。これにより、貫通孔１４２の近傍に用紙Ｐが搬送された場合に、当該貫通孔
１４２に連通された孔側流路部２６２の負圧生成が、上流側領域２０１及び下流側領域２
０３の方が記録領域２０２より迅速になる。
【００５０】
一方、開放された貫通孔１４２に連通されたバルブ室２６４における流路断面積が、記
録領域２０２の方が、上流側領域２０１及び下流側領域２０３より狭いので、開放された
貫通孔１４２からの空気吸引量が、記録領域２０２の方が、上流側領域２０１及び下流側
領域２０３よりも少なくなる。これにより、記録領域２０２における開放された貫通孔１
４２の周囲に生じる気流が、上流側領域２０１及び下流側領域２０３における開放された
貫通孔１４２の周囲に生じる気流よりも弱くなる。
【００５１】
以上により、上流側領域２０１及び下流側領域２０３において用紙Ｐに塞がれた貫通孔
１４２の吸引力を低下させることなく、記録領域２０２において開放された貫通孔１４２
からの空気吸引量を低下させることができる。従って、上流側領域２０１及び下流側領域
２０３における用紙Ｐと搬送ベルト１４０との吸着力を十分に確保して、用紙Ｐの搬送ベ
ルト１４０からの浮きを十分に抑制すると共に、記録領域２０２に生じる気流を弱めてこ
の気流がインク滴の飛翔状態に及ぼす影響を抑えることができる。特に、用紙Ｐの先端又
は後端への縁なし印刷を実施する場合には、有効となる。また、上流側領域２０１におい
て、搬送ベルト１４０への吸着が開始された段階の用紙Ｐを、短時間で搬送ベルト１４０
へ吸着させることができる点で有効となる。
【００５２】
また、下流側領域２０３において、インクで膨潤した用紙Ｐが貫通孔１４２を塞ぐ時に
、当該用紙Ｐを十分な大きさの吸着力で搬送ベルト１４０に吸着させることができる。よ
って、インクで膨潤した用紙Ｐのコックリングを抑制でき、当該用紙Ｐの搬送ベルト１４
０からの浮きを抑制できる。また、用紙Ｐが搬送ベルト１４０から剥離されることにより
用紙Ｐに生じる挙動の変動を抑制できる。
【００５３】
また、本実施形態では、ダイヤフラム２７１が、孔側流路部２６２と吸引側流路部２６
５との差圧によって変位されることによって、連通流路１８０の一部の流路断面積が増減
される。これにより、ファン１４８、１４９、１５０の駆動力を変化させることなく、貫
通孔１４２が用紙Ｐに塞がれた場合に当該貫通孔１４２の吸引力を増加させ、貫通孔１４
２が開放された場合に当該貫通孔１４２の吸引力を低下させることができる。
【００５４】
本実施形態では、開放された貫通孔１４２に連通された連通流路１８０の一部の流路断
面積が、記録領域２０２の方が上流側領域２０１および下流側領域２０３よりも狭くなる
。これにより、記録領域２０２における開放された貫通孔１４２に発生する吸引力を、上
流側領域２０１および下流側領域２０３におけるものよりも弱くできる。
【００５５】
本実施形態では、ダイヤフラム２７１に形成された開放連通孔２７６、３７６の孔径が
、記録領域２０２の方が上流側領域２０１および下流側領域２０３よりも小さくなってい
る。これにより、記録領域２０２における開放された貫通孔１４２に連通された連通流路
１８０の一部における流路断面積を、上流側領域２０１および下流側領域２０３における
ものよりも狭くできる。
【００５６】
本実施形態では、複数のバルブ２６３の一部が、上流側領域２０１および下流側領域２
０３に配されている。これにより、上流側領域２０１および下流側領域２０３において、
用紙Ｐに塞がれた貫通孔１４２の吸引力を低下させることなく、開放された貫通孔１４２
からの吸引量を減少させることができる。従って、上流側領域２０１および下流側領域２
０３において、用紙Ｐの搬送ベルト１４０からの浮きを十分に抑制できると共に、開放さ
れた貫通孔１４２に生じる気流を弱めて、この気流がインク滴の飛翔状態に及ぼす影響を
抑制できる。
【００５７】
本実施形態では、上流側領域２０１、記録領域２０２にそれぞれ上流側チャンバ１５８
、記録領域チャンバ１６０を配して、ファン１４８、１５０を各チャンバにそれぞれ対応
して設けている。これにより、一のファンにより記録領域チャンバ１６０と上流側チャン
バ１５８とに吸引力を発生させる場合と比較して、用紙Ｐに塞がれた貫通孔１４２に発生
する吸引力を強くすることができ、以って、用紙Ｐを搬送ベルト１４０に安定して吸着さ
せることができる。
【００５８】
同様に、下流側領域２０３、記録領域２０２にそれぞれ下流側チャンバ１５９、記録領
域チャンバ１６０を配して、ファン１４９、１５０を各チャンバにそれぞれ対応して設け
ている。これにより、一のファンにより記録領域チャンバ１６０と下流側チャンバ１５９
とに吸引力を発生させる場合と比較して、用紙Ｐに塞がれた貫通孔１４２に発生する吸引
力を強くすることができ、以って、用紙Ｐを搬送ベルト１４０に安定して吸着させること
ができる。
【００５９】
なお、搬送ベルト１４０は、支持部材の一例である。貫通孔１４２は、吸引孔の一例で
ある。記録領域２０２において用紙Ｐで覆われない貫通孔１４２の吸引力は、第２の吸引
力の一例である。記録領域２０２において用紙Ｐで覆われた貫通孔１４２の吸引力は、第
１の吸引力の一例である。搬送ベルト１４０の記録領域２０２において用紙Ｐを支持する
部分は、第１吸引部の一例である。
【００６０】
上流側領域２０１および下流側領域２０３において用紙Ｐで覆われていない貫通孔１４
２の吸引力は、それぞれ、第３の吸引力の一例である。また、搬送ベルト１４０の上流側
領域２０１および下流側領域２０３において用紙Ｐを支持する部分は、それぞれ、第２吸
引部の一例である。
【００６１】
次に、他の実施形態について説明する。なお、上記実施形態と同様の構成には同一の符
号を付して説明は省略する。図１０は、記録領域チャンバ１６０に配されたバルブ板１６
２及びスペーサ板１６３と、上流側チャンバ１５８、及び下流側チャンバ１５９に配され
たスペーサ板１６３を示す斜視図である。この図に示すように、記録領域２０２には、バ
ルブ板１６２が配されているのに対して、上流側領域２０１、下流側領域２０３には、バ
ルブ板１６２が配されていない。
【００６２】
図１１（Ａ）〜（Ｃ）は、上流側チャンバ１５８、記録領域チャンバ１６０、及び下流
側チャンバ１５９を示す部分側断面図である。図９（Ａ）、（Ｃ）に示すように、上流側
チャンバ１５８、下流側チャンバ１５９では、ベルト受け板１６１とスペーサ板１６３と
の間にバルブ板１６２が存しないことから、バルブ室２６４にバルブ２６３が存しない。
このため、バルブ室２６４における流路断面積は、貫通孔１４２を塞ぐ用紙Ｐの有無に関
わらず、一定となる。
【００６３】
一方、図１１（Ｂ）に示すように、記録領域チャンバ１６０では、ベルト受け板１６１
とスペーサ板１６３との間にバルブ板１６２が存することから、バルブ室２６４にバルブ
２６３が存する。このため、バルブ室２６４における流路断面積は、貫通孔１４２が用紙
Ｐに塞がれた場合には増加して、貫通孔１４２が開放された場合には減少する。
【００６４】
これにより、記録領域２０２においては、貫通孔１４２が開放されると当該貫通孔１４
２からの吸引量がバルブ２６３により減少される。一方、上流側領域２０１においては、
貫通孔１４２の近傍に用紙Ｐが搬送された場合に当該貫通孔１４２に生じる吸引力が減少
されない。従って、記録領域２０２に生じる気流を、上流側領域２０１に生じる気流と比
較して弱くすることができる。また、上流側領域２０１において、貫通孔１４２の近傍に
用紙Ｐが搬送された場合に当該貫通孔１４２に生じる吸引力を、記録領域２０２における
ものよりも強くできる。同様に、記録領域２０２に生じる気流を、下流側領域２０３に生
じる気流と比較して弱くすることができる。また、下流側領域２０３において、貫通孔１
４２の近傍に用紙Ｐが搬送された場合に当該貫通孔１４２に生じる吸引力を、記録領域２
０２におけるものよりも強くできる。
【００６５】
なお、本実施形態では、上流側領域２０１および下流側領域２０３にバルブ２６３を配
していないが、記録領域２０２に上流側領域２０１および下流側領域２０３よりも多数の
バルブ２６３が配されていればよく、上流側領域２０１および下流側領域２０３にバルブ
２６３を配してもよい。この場合、上流側領域２０１における搬送方向上流側から下流側
へかけて、バルブ２６３の数が徐々に増えていくように、バルブ２６３を配してもよい。
同様に、下流側領域２０３における搬送方向上流側から下流側へかけて、バルブ２６３の
数が徐々に減っていくように、バルブ２６３を配してもよい。
【００６６】
以上、本発明を実施の形態を用いて説明したが、本発明の技術的範囲は上記実施の形態
に記載の範囲には限定されない。上記実施の形態に、多様な変更または改良を加えること
が可能であることが当業者に明らかである。その様な変更または改良を加えた形態も本発
明の技術的範囲に含まれ得ることが、特許請求の範囲の記載から明らかである。
【図面の簡単な説明】
【００６７】
【図１】記録装置１００の概略構成を示す側面図である。
【図２】記録装置１００の内部構造を示す斜視図である。
【図３】用紙吸着装置１３０におけるファン１５０及び記録領域チャンバ１６０を示す分解斜視図である。
【図４】搬送ベルト１４０及びベルト受け板１６１を示す拡大斜視図である。
【図５】バルブ２６３を示す斜視図である。
【図６】用紙吸着装置１３０を示す部分断面図である。
【図７】バルブ２６３の動作と、連通流路１８０における空気の流れとを示す概略側断面図である。
【図８】上流側チャンバ１５８、記録領域チャンバ１６０、及び下流側チャンバ１５９に配されたバルブ板１６２を示す斜視図である。
【図９】（Ａ）〜（Ｃ）には、上流側チャンバ１５８、記録領域チャンバ１６０、及び下流側チャンバ１５９を示す部分側断面図である。
【図１０】記録領域チャンバ１６０に配されたバルブ板１６２及びスペーサ板１６３と、上流側チャンバ１５８、及び下流側チャンバ１５９に配されたスペーサ板１６３を示す斜視図である。
【図１１】（Ａ）〜（Ｃ）には、上流側チャンバ１５８、記録領域チャンバ１６０、及び下流側チャンバ１５９を示す部分側断面図である。
【符号の説明】
【００６８】
１００  記録装置、１１０  記録ヘッド、１２０  搬送部、１２１  フィードローラ、
１２２  ゲートローラ、１２３  紙押えローラ、１２４  駆動ローラ、１２５  従動ロー
ラ、１２６  従動ローラ、１３０  用紙吸着装置、１４０  搬送ベルト、１４１  上面、
１４２  貫通孔、１４８  ファン、１４９  ファン、１５０  ファン、１５２  ハウジン
グ、１５４  吸気口、１５６  排気口、１５８  上流側チャンバ、１５９  下流側チャン
バ、１６０  記録領域チャンバ、１６１  ベルト受け板、１６２  バルブ板、１６３  ス
ペーサ板、１６４  本体、１６５  密閉板、１８０  連通流路、２０１  上流側領域、２
０２  記録領域、２０３  下流側領域、２６１  溝、２６２  孔側流路部、２６３  バル
ブ、２６４  バルブ室、２６５  吸引側流路部、２６６  流路、２６７  貫通孔、２７１
ダイヤフラム、２７２  支持部、２７３  腕、２７４  腕、２７５  スリット、２７６
開放連通孔、２７７  スリット、３７６  開放連通孔、４７６  開放連通孔
【図１】
0005239827.tif 000002
【図２】
0005239827.tif 000003
【図３】
0005239827.tif 000004
【図４】
0005239827.tif 000005
【図５】
0005239827.tif 000006
【図６】
0005239827.tif 000007
【図７】
0005239827.tif 000008
【図８】
0005239827.tif 000009
【図９】
0005239827.tif 000010
【図１０】
0005239827.tif 000011
【図１１】
0005239827.tif 000012